(57)【要約】【課題】いずれの処理において回収した硬貨であるかを特定可能な紙幣処理機の提供。【解決手段】投入開口部１９，５９を介して投入された紙幣Ｓが端縁部を底部１５に突き当てて載置される紙幣投入口１１と、投入開口部１９，５９を開閉可能なシャッタ６５と、を有し、底部１５に設けられて紙幣Ｓの進入を規制しつつ硬貨Ｃの進入を許容する底部開口部４１と、シャッタ６５の閉作動の異常の有無を検知する閉作動異常検知手段と、を備え、底部開口部４１に進入した硬貨Ｃがシャッタ６５に当接してシャッタ６５の閉作動を阻害する。【選択図】図１
2015219826.tif 000002
【特許請求の範囲】
【請求項１】
投入開口部を介して投入された紙幣が端縁部を底部に突き当てて載置される紙幣投入口と、
前記投入開口部を開閉可能なシャッタと、
を有する紙幣処理機であって、
前記底部に設けられて紙幣の進入を規制しつつ硬貨の進入を許容する底部開口部と、
前記シャッタの閉作動の異常の有無を検知する閉作動異常検知手段と、
を備え、
前記底部開口部に進入した硬貨が前記シャッタに当接して該シャッタの閉作動を阻害することを特徴とする紙幣処理機。
【請求項２】
前記シャッタは、開状態にあるとき前記紙幣投入口の下方に位置し、開状態から前記紙幣投入口を回り込み前記紙幣投入口の上側に移動して前記投入開口部を閉塞する閉状態となり、
前記シャッタには、開状態にあるとき立ち上がる立壁部が設けられており、
開状態にある前記シャッタの閉作動方向における前記立壁部よりも下流側に前記立壁部の進入を許容しつつ硬貨の進入を規制する規制壁部を設け、
前記底部開口部は進入した硬貨を開状態にある前記シャッタの前記立壁部と前記規制壁部との間に送り込むことを特徴とする請求項１記載の紙幣処理機。
【発明の詳細な説明】
【技術分野】
【０００１】
本発明は、紙幣処理機に関する。
【背景技術】
【０００２】
紙幣処理機において、紙幣が投入される投入口から硬貨等の異物を落下させて回収するものがある（例えば、特許文献１〜３参照）。このような紙幣処理機では、投入口から異物を排除できることから、投入口において生じるジャムを抑制できる。
【先行技術文献】
【特許文献】
【０００３】
【特許文献１】実開昭６２−１２４９３９号公報
【特許文献２】特開２００６−６５４３５号公報
【特許文献３】特公平５−８５０７２号公報
【発明の概要】
【発明が解決しようとする課題】
【０００４】
ところで、上記の紙幣処理機では、投入口から排除した硬貨等の異物を容器に回収するようになっている。このように硬貨等の異物を容器に回収するものでは、回収された異物が硬貨であった場合に、いずれの処理において回収した硬貨であるかを特定できなくなってしまう可能性があった。
【０００５】
したがって、本発明は、いずれの処理において回収した硬貨であるかを特定可能な紙幣処理機の提供を目的とする。
【課題を解決するための手段】
【０００６】
上記目的を達成するために、請求項１に係る発明は、投入開口部を介して投入された紙幣が端縁部を底部に突き当てて載置される紙幣投入口と、前記投入開口部を開閉可能なシャッタと、を有する紙幣処理機であって、前記底部に設けられて紙幣の進入を規制しつつ硬貨の進入を許容する底部開口部と、前記シャッタの閉作動の異常の有無を検知する閉作動異常検知手段と、を備え、前記底部開口部に進入した硬貨が前記シャッタに当接して該シャッタの閉作動を阻害することを特徴とする。
【０００７】
請求項２に係る発明は、請求項１に係る発明において、前記シャッタは、開状態にあるとき前記紙幣投入口の下方に位置し、開状態から前記紙幣投入口を回り込み前記紙幣投入口の上側に移動して前記投入開口部を閉塞する閉状態となり、前記シャッタには、開状態にあるとき立ち上がる立壁部が設けられており、開状態にある前記シャッタの閉作動方向における前記立壁部よりも下流側に前記立壁部の進入を許容しつつ硬貨の進入を規制する規制壁部を設け、前記底部開口部は進入した硬貨を開状態にある前記シャッタの前記立壁部と前記規制壁部との間に送り込むことを特徴とする。
【発明の効果】
【０００８】
請求項１に係る発明によれば、一の処理を行うためシャッタが開状態となっている投入開口部を介して紙幣投入口に紙幣が投入されると、この紙幣に硬貨が混入している場合には、紙幣投入口の底部に設けられた底部開口部に硬貨が進入することになる。そして、この一の処理においてシャッタを閉作動させると、この硬貨がシャッタに当接してその閉作動を阻害することになり、これにより生じるシャッタの閉作動の異常を、閉作動異常検知手段が検知することになる。よって、一の処理においてシャッタの閉作動に異常が生じ、その際にシャッタの閉作動を阻害している硬貨がある場合には、この硬貨をこの一の処理において混入した硬貨であると特定できる。したがって、いずれの処理において回収した硬貨であるかを特定可能となる。しかも、混入した硬貨がシャッタに当接してその閉作動を阻害することから、混入した硬貨があることを簡素な構造で検知することができる上、混入した硬貨を取り除かなければ一の処理ができなくなって硬貨の回収忘れを防止できる。
【０００９】
請求項２に係る発明によれば、底部開口部が開状態にあるシャッタの立壁部と規制壁部との間に硬貨を送り込むと、シャッタの閉作動で立壁部が規制壁部側に移動して硬貨を規制壁部側に押圧することになり、規制壁部が硬貨の進入を規制することでシャッタの閉作動を阻害する。よって、混入した硬貨があることをより簡素な構造で検知することができる。
【図面の簡単な説明】
【００１０】
【図１】本発明の一実施形態に係る紙幣処理機の紙幣入金口周辺を示す側断面図であって、シャッタの開状態を示すものである。
【図２】本発明の一実施形態に係る紙幣処理機の要部の制御系ブロック図である。
【図３】本発明の一実施形態に係る紙幣処理機の紙幣入金口の底部を図１のＡ方向に見た図である。
【図４】本発明の一実施形態に係る紙幣処理機の紙幣入金口周辺を示す側断面図であって、シャッタの閉状態を示すものである。
【図５】本発明の一実施形態に係る紙幣処理機のシャッタの立壁部と規制壁部とを図１のＢ方向に見た図である。
【図６】本発明の一実施形態に係る紙幣処理機の紙幣入金口周辺を示す側断面図であって、硬貨混入時のシャッタの閉阻害状態を示すものである。
【発明を実施するための形態】
【００１１】
本発明の一実施形態に係る紙幣処理機を図面を参照して以下に説明する。なお、図１（図４，図６も同様）において矢印Ｘの方向が、操作を行う操作者側すなわち前方（機体正面側）を示す。また、以下において特に記載のない場合、「前」は操作者側、「後」は操作者に対し反対側であり、左右は、操作者側から見たときの左右である。
【００１２】
本実施形態に係る紙幣処理機は、具体的には紙幣入出金機であり、紙幣の入金、収納、回収および出金等、紙幣に関する各処理を行うものである。図１は、本実施形態に係る紙幣処理機の紙幣投入口１１を示している。紙幣投入口１１は、機体の上部の前部位置に設けられるものであり、上方かつ前方に斜めに開口して設けられている。
【００１３】
紙幣投入口１１は、その奥側にあって水平面に対し後側を上側にするように傾斜して配置される底部１５と、この底部１５の左右両端縁部から鉛直に沿って上方かつ前方に斜めに延出する一対（図１において一方のみ図示）の側壁部１６と、底部１５の後端縁部近傍から底部１５にほぼ垂直をなして上方かつ前方に斜めに延出する後壁部１７と、底部１５の前端縁部から底部１５にほぼ垂直をなして上方かつ前方に斜めに延出する前壁部１８とを有している。紙幣投入口１１は、底部１５とは反対側が一対の側壁部１６と後壁部１７と前壁部１８とで囲まれた機外に開口可能な投入開口部１９となっている。
【００１４】
紙幣投入口１１には、底部１５の後端縁部と後壁部１７との間すなわち紙幣投入口１１の後端部に、紙幣Ｓを機内に取り込むための取込口２０が形成されている。また、紙幣投入口１１内には、後壁部１７および前壁部１８と平行をなしてこれらの間を底部１５に沿って移動するビルプレス２２が設けられている。ビルプレス２２は、図２に示すビルプレス駆動モータ２３で駆動されて後壁部１７と前壁部１８との間を往復移動することになり、図１に示すように前壁部１８に近接する状態が待機状態となっている。
【００１５】
紙幣投入口１１は、主として入金処理時に、紙幣Ｓが操作者により機外から投入される部分である。紙幣Ｓは基本的には複数枚が集積状態で長手方向を左右方向にした後下がりの姿勢で投入開口部１９を介して紙幣投入口１１に投入される。後下がりの姿勢で紙幣投入口１１に投入された紙幣Ｓは、後側かつ下側に位置する端縁部を底部１５に突き当てて底部１５およびビルプレス２２に載置される。つまり、紙幣投入口１１は、機外から投入された紙幣Ｓを底部１５に突当状態で載置させる。紙幣投入口１１には、底部１５に突き当てられて底部１５およびビルプレス２２に載置された紙幣Ｓを検知する光学透過型の紙幣検知センサ２４が設けられている。
【００１６】
紙幣投入口１１には、取込口２０の近傍位置に、紙幣投入口１１に投入されビルプレス２２で後壁部１７側すなわち取込口２０側に寄せられた紙幣Ｓを取込口２０から機内に取り込む取込機構２６が設けられている。この取込機構２６は、左右方向に軸線を配置した状態で、後壁部１７から一部が下方に突出するように設けられた蹴出ローラ２７と、左右方向に軸線を配置した状態で取込口２０の上側に配置された取込ローラ２８と、左右方向に軸線を配置した状態で取込口２０の下側に取込ローラ２８と接触可能に配置された分離ローラ２９と、これら蹴出ローラ２７、取込ローラ２８および分離ローラ２９を回転駆動する図２に示す取込駆動モータ３０とを有している。
【００１７】
ビルプレス２２は、紙幣投入口１１に投入された紙幣Ｓを蹴出ローラ２７に押し付ける。蹴出ローラ２７は、下部が後方に移動するように回転するもので、紙幣投入口１１に投入された紙幣Ｓのうち最も上側の一枚に接触してこれを取込口２０の方向に蹴り出すものである。取込ローラ２８は、蹴出ローラ２７と同じ方向に回転するもので、蹴出ローラ２７で蹴り出された紙幣Ｓをその後側に設けられた入金側搬送路３５に向け送り出すものである。分離ローラ２９は、取込ローラ２８と同じ方向に回転しまたは停止することにより、二枚以上の紙幣Ｓが取込ローラ２８との間に取り込まれるのを防止し、その結果、紙幣Ｓを一枚ずつに分離する。このような取込機構２６により、紙幣投入口１１に投入された紙幣Ｓは、一枚ずつに分離されて後方の入金側搬送路３５へと送り込まれる。つまり、取込機構２６は、紙幣投入口１１内の紙幣Ｓを紙幣投入口１１の後端部に設けられた取込口２０から機内に取り込むものである。
【００１８】
底部１５には、図３に示すように、紙幣投入口１１に投入された状態の紙幣Ｓの左右方向の幅よりも狭い幅であって、最大径の硬貨Ｃ（５００円硬貨）の直径よりも広い幅の底部開口部４１が左右方向に並んで形成されている。その結果、底部１５は隣り合う底部開口部４１と底部開口部４１との間に配置される紙幣支持部４２が左右方向に複数並んで形成されている。底部開口部４１は、紙幣投入口１１の底部１５に設けられて紙幣Ｓの進入を規制しつつ硬貨Ｃの進入を許容する。紙幣支持部４２は、図示は略すが左右方向の中央の位置が両側よりも高くなるように山型形状をなしており、混入した硬貨Ｃが接触するとこれを底部開口部４１に案内する。
【００１９】
図１に示すように、紙幣投入口１１の前側には、前壁部１８の前端部から前壁部１８の前側にて下方に延出するガイド壁部５１と、ガイド壁部５１の後端部から鉛直上方に延出する規制壁部５２と、規制壁部５２の上端縁部から後ろ上がりに延出する傾斜壁部５３と、が設けられている。ガイド壁部５１は後側に中心を有する円弧状をなしており、規制壁部５２は左右方向に広がり、傾斜壁部５３は、底部１５と同一平面をなすように平坦な形状をなしている。
【００２０】
ガイド壁部５１の前側にはガイド壁部５１を覆うカバー部材５５が設けられている。カバー部材５５は一対の側壁部１６の底部１５とは反対側の端縁部をも覆っている。カバー部材５５は、投入開口部１９の上端部よりも上側から一対の側壁部１６およびガイド壁部５１を覆う湾曲カバー部５６と、傾斜壁部５３および底部１５の前部の下側を覆う水平に配置される水平カバー部５７と、水平カバー部５７の後端縁部から上方に延出する上方延出部５８とを有している。カバー部材５５には、投入開口部１９の位置に投入開口部５９が形成されている。
【００２１】
投入開口部１９と投入開口部５９との間には、図１および図４に示すように、これらを開閉可能なシャッタ６５が設けられている。このシャッタ６５は、カバー部材５５と一対の側壁部１６およびガイド壁部５１との間の空間に配置され、これらに案内されて摺動する。シャッタ６５は、図１に示す開状態にあるとき紙幣投入口１１の鉛直下方に位置し、この開状態から紙幣投入口１１を前方に回り込み紙幣投入口１１の上側に移動して図４に示すように投入開口部１９および投入開口部５９を閉塞する閉状態となる。シャッタ６５は、合成樹脂製であり、投入開口部１９，５９を開閉する可撓性のあるシャッタ本体部６６と、図１に示すようにシャッタ本体部６６が投入開口部１９，５９を開く開状態にあるときにシャッタ本体部６６の後端縁部から上方に立ち上がる立壁部６７とを有している。立壁部６７は左右方向に広がっている。
【００２２】
シャッタ６５は、投入開口部１９，５９を開く開状態にあるときには、立壁部６７が上方延出部５８の直前位置に位置しており、シャッタ本体部６６の後部が水平カバー部５７の上側で水平に配置されている。この開状態にあるシャッタ６５の閉作動方向における立壁部６７よりも下流側に規制壁部５２が設けられており、このときの立壁部６７と規制壁部５２との間には、最大径の硬貨Ｃ（５００円硬貨）の直径よりも広い隙間が形成されている。
【００２３】
この開状態から図２に示すシャッタ駆動モータ７１で駆動されると、シャッタ６５は、シャッタ本体部６６がカバー部材５５とガイド壁部５１との間を通り、続いてカバー部材５５と一対の側壁部１６との間を通って、図４に示すように投入開口部１９，５９を閉塞する。ここで、シャッタ６５の立壁部６７は、図５に示すように凹部６８と凸部６９とが左右方向に交互に並べられた櫛歯状をなしており、規制壁部５２は、立壁部６７が通過可能となるように、立壁部６７の凸部６９を入り込ませる凹部７３と立壁部６７の凹部６８に入り込む凸部７４とが、左右方向に交互に並べられた櫛歯状をなしている。図４に示すガイド壁部５１にも各凹部７３に続く溝部７５が形成されており、溝部７５を立壁部６７の凸部６９が通過する。規制壁部５２は、このように立壁部６７の進入を許容しつつ、図５に示すように硬貨Ｃの進入を規制する。
【００２４】
図１に示すように、分離ローラ２９の前側かつ底部１５の下方には、分離ローラ２９の前端部から鉛直下方に延出する下方延出部８１と下方延出部８１の下端縁部から前下がりに延出する傾斜延出部８２とを有するガイド部材８３が設けられている。傾斜延出部８２の下端部は、開状態にあるシャッタ６５の立壁部６７の真上位置に位置している。ガイド部材８３は、底部開口部４１を通過した硬貨Ｃを、開状態にあるシャッタ６５の立壁部６７と規制壁部５２との間のシャッタ本体部６６上に案内する。言い換えれば、ガイド部材８３が設けられていることにより、底部開口部４１は、進入した硬貨Ｃを開状態にあるシャッタ６５の立壁部６７と規制壁部５２との間に送り込む。底部開口部４１に進入した硬貨Ｃは、シャッタ６５の立壁部６７と規制壁部５２とに当接しこれらに挟まれることになってシャッタ６５の閉作動を阻害する。
【００２５】
機体の側部には、開閉可能な異物回収扉８４が設けられており、異物回収扉８４は、シャッタ６５の立壁部６７と規制壁部５２との間のシャッタ本体部６６上の硬貨Ｃを取り出す際に開放される。
【００２６】
本実施形態に係る紙幣処理機は、シャッタ６５が図４に示す閉状態にあるか否かを検知する図２に示す閉検知センサ８５（閉作動異常検知手段）と、シャッタ６５が図１に示す開状態にあるか否かを検知する図２に示す開検知センサ８６（閉作動異常検知手段）と、これらおよび紙幣検知センサ２４の検知結果に基づいてビルプレス駆動モータ２３、取込駆動モータ３０およびシャッタ駆動モータ７１等の駆動を制御する制御部８７（閉作動異常検知手段）と、操作者の操作入力を受け付ける操作部８８と、操作者に向けて表示を行う表示部８９とが設けられている。
【００２７】
制御部８７は、シャッタ６５が開状態にあることが開検知センサ８６により検知された状態からシャッタ駆動モータ７１の閉方向の駆動を開始して所定時間経過してもシャッタ６５が閉状態になったことが閉検知センサ８５により検知されないと、シャッタ６５の閉作動の異常有りを検知する。
【００２８】
制御部８７は、逆に、シャッタ６５が開状態にあることが開検知センサ８６により検知された状態からシャッタ駆動モータ７１の閉方向の駆動を開始して所定時間経過する前にシャッタ６５が閉状態になったことが閉検知センサ８５により検知されると、シャッタ６５の閉作動の異常無しを検知する。つまり、閉検知センサ８５、開検知センサ８６および制御部８７が、シャッタ６５の閉作動の異常の有無を検知する。
【００２９】
ここで、シャッタ６５の閉作動の異常の有無の検知は、上記以外であっても良い。例えば、シャッタ駆動モータ７１の閉方向の駆動を開始してから、シャッタ６５が閉状態になったことが閉検知センサ８５により検知される前に、シャッタ駆動モータ７１の駆動電流が所定値以上になると、制御部８７がシャッタ６５の閉作動の異常有りを検知し、シャッタ駆動モータ７１の閉方向の駆動を開始してから、シャッタ６５が閉状態になったことが閉検知センサ８５により検知されるまで、シャッタ駆動モータ７１の駆動電流が所定値以上になることがなければ、制御部８７がシャッタ６５の閉作動の異常無しを検知するようにしても良い。
【００３０】
次に、本実施形態の紙幣処理機の作動について説明する。
【００３１】
操作部８８に例えば入金処理の選択操作が入力されると、制御部８７は、図４に示すようにシャッタ６５を閉じた待機状態から、図２に示すシャッタ駆動モータ７１を駆動してシャッタ６５を開作動させる。シャッタ６５が開検知センサ８６で検知されると、制御部８７は、シャッタ駆動モータ７１を停止させる。すると、シャッタ６５は、図１に示すように、投入開口部１９，５９を開いた状態になる。この状態で、操作者は紙幣Ｓを投入開口部１９，５９を介して紙幣投入口１１内へ投入する。このとき、投入された紙幣Ｓに硬貨Ｃが混入していると、混入している硬貨Ｃは自重により、底部開口部４１を通過し、ガイド部材８３で案内される等して開状態にあるシャッタ６５の立壁部６７と規制壁部５２との間のシャッタ本体部６６上に至る。
【００３２】
上記のように紙幣Ｓが紙幣投入口１１内へ投入されると、紙幣検知センサ２４が紙幣Ｓを検知することになる。紙幣検知センサ２４が紙幣Ｓを検知すると、制御部８７は、入金処理の実行操作を待機する状態となり、入金処理の実行操作を促す表示を表示部８９に表示させる。この状態で操作部８８に入金処理の実行操作が入力されると、制御部８７は、シャッタ駆動モータ７１を駆動してシャッタ６５の投入開口部１９，５９を閉じる閉作動を開始させる。
【００３３】
このとき、図１に示すように、立壁部６７と規制壁部５２との間のシャッタ本体部６６上に硬貨Ｃが存在していると、図６に示すように、立壁部６７が硬貨Ｃを規制壁部５２との間に挟んだ状態で停止することになる。よって、シャッタ６５が開状態にあることが開検知センサ８６により検知された状態からシャッタ駆動モータ７１の閉方向の駆動を開始して所定時間経過してもシャッタ６５が閉状態になったことが閉検知センサ８５により検知されない状態が生じる。これにより、制御部８７は、シャッタ６５の閉作動の異常有りを検知する。すると、制御部８７は、シャッタ駆動モータ７１の開方向の駆動を開始して開検知センサ８６でシャッタ６５の開状態が検知されると、シャッタ駆動モータ７１を停止させて、表示部８９に異物除去を促す表示を表示させるとともに、入金処理の実行操作を待機する状態となる。
【００３４】
この表示を見て、操作者は、機体の側部の異物回収扉８４を開き、図１に示すようにシャッタ６５の立壁部６７と規制壁部５２との間のシャッタ本体部６６上にある硬貨Ｃを取り出す。そして、再度、操作部８８に入金処理の実行操作が入力されると、制御部８７は、シャッタ駆動モータ７１を駆動してシャッタ６５の投入開口部１９，５９を閉じる閉作動を開始させる。
【００３５】
また、シャッタ駆動モータ７１を駆動してシャッタ６５の投入開口部１９，５９を閉じる閉作動を開始させた際に、立壁部６７と規制壁部５２との間のシャッタ本体部６６上に硬貨Ｃが存在しなければ、立壁部６７が規制壁部５２を通過した後、図４に示すようにシャッタ本体部６６が投入開口部１９，５９を閉じることになる。このときは、シャッタ６５が開状態にあることが開検知センサ８６により検知された状態からシャッタ駆動モータ７１の閉方向の駆動を開始して所定時間経過する前にシャッタ６５が閉状態になったことが閉検知センサ８５により検知される。すると、制御部８７は、シャッタ駆動モータ７１を停止させるとともに、ビルプレス駆動モータ２３を駆動して、ビルプレス２２を後壁部１７側に移動させて、紙幣Ｓを蹴出ローラ２７に押し付ける。次に、制御部８７は、取込駆動モータ３０を駆動して、蹴出ローラ２７により最も後側の紙幣Ｓから順に取込口２０の方向に蹴り出させ、取込ローラ２８と分離ローラ２９とで紙幣Ｓを一枚ずつに分離して、後方の入金側搬送路３５へと送り込み、入金側搬送路３５が図示略の入金処理機構に紙幣Ｓを搬送し所定の入金処理を行わせることになる。
【００３６】
以上により、紙幣Ｓとともに混入した硬貨Ｃがある場合には、この硬貨Ｃを取り除くまで紙幣Ｓの機内への取り込みが行われることはなく、よって、この硬貨Ｃが現在紙幣投入口１１に投入されている紙幣Ｓとともに投入されたものであることが明らかになる。
【００３７】
以上に述べた本実施形態に係る紙幣処理機によれば、一の処理を行うためシャッタ６５が開状態となっている紙幣投入口１１に紙幣Ｓが投入されると、図１に示すように、紙幣Ｓに硬貨Ｃが混入している場合には、底部１５に設けられた底部開口部４１に硬貨Ｃが進入することになる。そして、この一の処理においてシャッタ６５を閉作動させると、この硬貨Ｃがシャッタ６５に当接してその閉作動を阻害することになり、これにより生じるシャッタ６５の閉作動の異常を、閉検知センサ８５、開検知センサ８６および制御部８７が検知することになる。よって、一の処理においてシャッタ６５の閉作動に異常が生じ、その際にシャッタ６５の閉作動を阻害している硬貨Ｃがある場合には、この硬貨Ｃをこの一の処理において混入した硬貨Ｃであると特定できる。したがって、いずれの処理において回収した硬貨Ｃであるかを特定可能となる。しかも、混入した硬貨がシャッタ６５に当接してその閉作動を阻害することから、混入した硬貨Ｃがあることを簡素な構造で検知することができる上、混入した硬貨Ｃを取り除かなければ一の処理ができなくなって硬貨Ｃの回収忘れを防止できる。
【００３８】
また、底部開口部４１が、開状態にあるシャッタ６５の立壁部６７と規制壁部５２との間に硬貨Ｃを送り込むと、シャッタ６５の閉作動で立壁部６７が規制壁部５２側に移動して硬貨Ｃを規制壁部５２側に押圧することになり、規制壁部５２が硬貨Ｃの進入を規制することでシャッタ６５の閉作動を阻害する。よって、混入した硬貨Ｃがあることをより簡素な構造で検知することができる。
【００３９】
以上の実施形態では、硬貨Ｃが紙幣Ｓに混入している場合を例にとり説明したが、硬貨Ｃ以外のクリップ等の異物が紙幣Ｓに混入している場合も、異物は同様に底部開口部４１から開状態にあるシャッタ６５の立壁部６７と規制壁部５２との間に落下することになる。よって、硬貨Ｃ以外の異物が紙幣Ｓに混入している場合も、硬貨Ｃの場合と同様に、異物がシャッタ６５の閉作動を阻害することになる。
【符号の説明】
【００４０】
１１  紙幣投入口
１５  底部
１９  投入開口部
４１  底部開口部
５２  規制壁部
５９  投入開口部
６５  シャッタ
６７  立壁部
８５  閉検知センサ（閉作動異常検知手段）
８６  開検知センサ（閉作動異常検知手段）
８７  制御部（閉作動異常検知手段）
Ｃ  硬貨
Ｓ  紙幣
【図１】
2015219826.tif 000003
【図２】
2015219826.tif 000004
【図３】
2015219826.tif 000005
【図４】
2015219826.tif 000006
【図５】
2015219826.tif 000007
【図６】
2015219826.tif 000008